【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
ダイヤフラムを有する弁体が弁ハウジングに組み込まれ、第１の流路とこれに連通する第２の流路とを連通させる状態と連通を遮断する状態とに開閉するダイヤフラム弁であって、
前記弁ハウジング内に軸方向に往復動自在に配置され、前記第１の流路と前記第２の流路とを連通させる連通流路が形成された中空弁体と、
前記中空弁体の一端部に設けられた第１のダイヤフラムと、
前記中空弁体の他端部に設けられ、前記中空弁体を介して前記第１のダイヤフラムと連動する第２のダイヤフラムと、
軸方向に往復動自在に前記弁ハウジングに設けられ、前記中空弁体に連結される往復動部材とを有し、
前記往復動部材により前記中空弁体を前記往復動部材の移動方向と平行に移動することによって、前記ハウジング側に設けられた弁座部に前記中空弁体が当接して前記連通流路を閉鎖することを特徴とするダイヤフラム弁。
【請求項２】
請求項１記載のダイヤフラム弁において、前記弁座部を有する弁座ブロックを前記弁ハウジングに設けることを特徴とするダイヤフラム弁。
【請求項３】
請求項１または２記載のダイヤフラム弁において、それぞれの前記ダイヤフラムは凹面側が前記中空弁体の軸方向外方となるように、相互に凹凸関係が逆向きとなっていることを特徴とするダイヤフラム弁。
【請求項４】
請求項１〜３のいずれか１項に記載のダイヤフラム弁において、前記往復動部材は流体圧により駆動されるピストンに設けられたピストンロッドであることを特徴とするダイヤフラム弁。
【請求項５】
請求項４記載のダイヤフラム弁において、前記ピストンを単動型とすることを特徴とするダイヤフラム弁。
【請求項６】
請求項４または５記載のダイヤフラム弁において、前記ピストンロッドを円筒形状とし、前記ピストンを環状とすることを特徴とするダイヤフラム弁。
【請求項７】
請求項１〜３のいずれか１項に記載のダイヤフラム弁において、
前記往復動部材は、前記中空弁体に前記弁座部に向かう方向の付勢力を加える付勢部材を有し、前記第１の流路内の流体により前記第１のダイヤフラムに加わる開放方向の推力が、前記付勢部材の付勢力と前記第２の流路内の流体の圧力より前記第２のダイヤフラムに加わる推力との合計の閉鎖方向の推力よりも大きいときには、前記中空弁体が前記弁座部から離れて前記連通流路を開放し、前記開放方向の推力が前記閉鎖方向の推力よりも小さいときには、前記中空弁体が前記弁座部に当接して前記連通流路を閉じることを特徴とするダイヤフラム弁。
【請求項８】
ダイヤフラムを有する弁体が弁ハウジングに組み込まれ、第１の流路とこれに連通する第２の流路とを連通させる状態と連通を遮断する状態とに開閉するダイヤフラム弁であって、
前記弁ハウジング内に軸方向に往復動自在に配置され、前記第１の流路と前記第２の流路とを連通させる連通流路が形成された中空弁体と、
前記中空弁体の一端部に設けられた第１のダイヤフラムと、
前記中空弁体の他端部に設けられ、前記中空弁体を介して前記第１のダイヤフラムと連動する第２のダイヤフラムと、
前記弁座部、前記連通流路内に突出する円錐形の第１の突起および前記第１の流路内に突出する第２の突起を有し、前記弁ハウジングに設けられる弁座ブロックと、
前記中空弁体に取り付けられるガイド部材と、
前記弁ハウジング内に設けられ、前記ガイド部材の移動を案内することで前記中空弁体が軸方向に移動するときの移動を案内する収納ケーシングとを有し、
前記第２のダイヤフラムの外径を前記第１のダイヤフラムの外径よりも大きく設定し、前記第１のダイヤフラムに加わる前記第１の流路内の流体による開放方向の推力が前記第２のダイヤフラムに加わる前記第２の流路内の流体による閉鎖方向の推力よりも大きいときには前記中空弁体が前記弁座部から離れて前記連通流路を開放し、前記開放方向の推力が前記閉鎖方向の推力よりも小さいときには前記中空弁体が前記弁座部に当接して前記連通流路を閉じることを特徴とするダイヤフラム弁。
【手続補正２】
【補正対象書類名】明細書
【補正対象項目名】００１０
【補正方法】変更
【補正の内容】
【００１０】
本発明のダイヤフラム弁は、ダイヤフラムを有する弁体が弁ハウジングに組み込まれ、第１の流路とこれに連通する第２の流路とを連通させる状態と連通を遮断する状態とに開閉するダイヤフラム弁であって、前記弁ハウジング内に軸方向に往復動自在に配置され、前記第１の流路と前記第２の流路とを連通させる連通流路が形成された中空弁体と、前記中空弁体の一端部に設けられた第１のダイヤフラムと、前記中空弁体の他端部に設けられ、前記中空弁体を介して前記第１のダイヤフラムと連動する第２のダイヤフラムと、軸方向に往復動自在に前記弁ハウジングに設けられ、前記中空弁体に連結される往復動部材とを有し、前記往復動部材により前記中空弁体を前記往復動部材の移動方向と平行に移動することによって、前記ハウジング側に設けられた弁座部に前記中空弁体が当接して前記連通流路を閉鎖することを特徴とする。
【手続補正３】
【補正対象書類名】明細書
【補正対象項目名】００１１
【補正方法】変更
【補正の内容】
【００１１】
本発明のダイヤフラム弁は、前記弁座部を有する弁座ブロックを前記弁ハウジングに設けることを特徴とする。本発明のダイヤフラム弁は、それぞれの前記ダイヤフラムは凹面側が前記中空弁体の軸方向外方となるように、相互に凹凸関係が逆向きとなっていることを特徴とする。本発明のダイヤフラム弁は、前記往復動部材は流体圧により駆動されるピストンに設けられたピストンロッドであることを特徴とする。
【手続補正４】
【補正対象書類名】明細書
【補正対象項目名】００１２
【補正方法】変更
【補正の内容】
【００１２】
本発明のダイヤフラム弁は、前記ピストンを単動型とすることを特徴とする。本発明のダイヤフラム弁は、前記ピストンロッドを円筒形状とし、前記ピストンを環状とすることを特徴とする。本発明のダイヤフラム弁は、前記往復動部材は、前記中空弁体に前記弁座部に向かう方向の付勢力を加える付勢部材を有し、前記第１の流路内の流体により前記第１のダイヤフラムに加わる開放方向の推力が、前記付勢部材の付勢力と前記第２の流路内の流体の圧力より前記第２のダイヤフラムに加わる推力との合計の閉鎖方向の推力よりも大きいときには、前記中空弁体が前記弁座部から離れて前記連通流路を開放し、前記開放方向の推力が前記閉鎖方向の推力よりも小さいときには、前記中空弁体が前記弁座部に当接して前記連通流路を閉じることを特徴とする。
【手続補正５】
【補正対象書類名】明細書
【補正対象項目名】００１３
【補正方法】変更
【補正の内容】
【００１３】
本発明のダイヤフラム弁は、ダイヤフラムを有する弁体が弁ハウジングに組み込まれ、第１の流路とこれに連通する第２の流路とを連通させる状態と連通を遮断する状態とに開閉するダイヤフラム弁であって、前記弁ハウジング内に軸方向に往復動自在に配置され、前記第１の流路と前記第２の流路とを連通させる連通流路が形成された中空弁体と、前記中空弁体の一端部に設けられた第１のダイヤフラムと、前記中空弁体の他端部に設けられ、前記中空弁体を介して前記第１のダイヤフラムと連動する第２のダイヤフラムと、前記弁座部、前記連通流路内に突出する円錐形の第１の突起および前記第１の流路内に突出する第２の突起を有し、前記弁ハウジングに設けられる弁座ブロックと、前記中空弁体に取り付けられるガイド部材と、前記弁ハウジング内に設けられ、前記ガイド部材の移動を案内することで前記中空弁体が軸方向に移動するときの移動を案内する収納ケーシングとを有し、前記第２のダイヤフラムの外径を前記第１のダイヤフラムの外径よりも大きく設定し、前記第１のダイヤフラムに加わる前記第１の流路内の流体による開放方向の推力が前記第２のダイヤフラムに加わる前記第２の流路内の流体による閉鎖方向の推力よりも大きいときには前記中空弁体が前記弁座部から離れて前記連通流路を開放し、前記開放方向の推力が前記閉鎖方向の推力よりも小さいときには前記中空弁体が前記弁座部に当接して前記連通流路を閉じることを特徴とする。
【手続補正６】
【補正対象書類名】明細書
【補正対象項目名】００３２
【補正方法】変更
【補正の内容】
【００３２】
上述したダイヤフラム弁１０ａにおいては、それぞれのピストン５２ａ，５２ｂは複動型であり、中空弁体３２に軸方向の推力を加えるピストン５２ａ，５２ｂの前進移動と後退移動とをともに圧縮空気により行うようにしているが、ピストン５２ａ，５２ｂを単動型として、前進移動と後退移動の一方の移動のみを空気圧により行うようにし、他方の移動をばねにより行うようにしても良い。また、上述したダイヤフラム弁１０ａにおいては、第１の配管１４を流入側とし、第２の配管１５を流出側としているが、これらを逆としても良い。